(57)【要約】【課題】汎用端子の接続ではケーブル接続による耐久性や煩雑さ問題のほか、信号変換が必須条件となるため、専用の変換回路が必要となるため、コストアップや回路規模の拡大が課題となっていた。【解決手段】外部ストロボを含む複数の周辺機器のうち少なくとも１つを装着して使用可能な撮像装置であって、ＵＳＢホストとして動作可能なＵＳＢ制御部と、前記外部ストロボを制御するための外部フラッシュ制御信号を出力するフラッシュ制御部と、映像信号を出力する映像信号制御部と、前記周辺機器を機械的に固定可能なマウントと、前記マウント内、および、前記マウントの隣接領域のうち少なくともいずれか一方に設けられ、前記ＵＳＢ制御部からの信号、前記外部フラッシュ制御信号および映像制御信号の端子を備え、前記周辺機器と電気的に接続可能な一つのコネクタと、を備える。【選択図】図５
2013207325.tif 000002
【特許請求の範囲】
【請求項１】
外部ストロボを含む複数の周辺機器のうち少なくとも１つを装着して使用可能な撮像装置であって、
ＵＳＢホストとして動作可能なＵＳＢ制御部と、
前記外部ストロボを制御するための外部フラッシュ制御信号を出力するフラッシュ制御部と、
映像信号を出力する映像信号制御部と、
前記周辺機器を機械的に固定可能なマウントと、
前記マウント内、および、前記マウントの隣接領域のうち少なくともいずれか一方に設けられ、前記ＵＳＢ制御部からの信号、前記外部フラッシュ制御信号および映像制御信号の端子を備え、前記周辺機器と電気的に接続可能な一つのコネクタと、
を備えた、アクセサリーシューを備えた撮像装置。
【請求項２】
前記フラッシュ制御信号の端子は、接続された前記周辺機器と最初に交信する、
請求項１記載のアクセサリーシューを備えた撮像装置。
【請求項３】
前記フラッシュ制御信号の端子による接続された前記周辺機器との最初の交信によって接続された周辺機器の種別を判定する、
請求項２記載のアクセサリーシューを備えた撮像装置。
【請求項４】
前記映像信号はシリアル変換された映像信号である、
請求項１記載のアクセサリーシューを備えた撮像装置。
【請求項５】
前記映像信号はＨＤＭＩ映像信号である、
請求項１記載のアクセサリーシューを備えた撮像装置。
【請求項６】
前記ＨＤＭＩ映像信号は、撮像装置に設けられたＨＤＭＩ専用端子への出力信号と適宜選択的に出力することが可能な、
請求項５記載のアクセサリーシューを備えた撮像装置。
【請求項７】
ＵＳＢ制御信号を入出力する接続端子と、外部フラッシュ制御信号を出力するフラッシュ制御端子と、映像信号を出力する映像信号制御端子とを含む一つのコネクタと、
前記コネクタの挿入方向に沿って前記コネクタの両側に設けられたキー溝と、
を備えた、アクセサリーシューを備えた撮像装置。
【請求項８】
前記キー溝は、前記コネクタを覆うベース部材と、前記コネクタの外周であって、前記コネクタの挿入部を切り欠いた、コの字上板金によって形成される、
請求項７記載のアクセサリーシューを備えた撮像装置。
【発明の詳細な説明】
【技術分野】
【０００１】
ここに開示された技術は、静止画または動画の撮影が可能な撮像装置に用いられるアクセサリーシューに関する。
【背景技術】
【０００２】
特許文献１は、デジタルカメラ、ビデオカメラにおける外部センサーからの情報を取得する手段を開示している。この文献では汎用端子であるＵＳＢ端子を用いる方法と、信号をＡＶ信号に変換してＡＶ端子を用いる方法によって、汎用のアクセサリーシューのＸ接点（シンクロ接点とも言う）およびシリアル交信端子における専用回路構成を設計することなく、安価にセンサーからの情報を取得する手段を達成している。
【０００３】
特許文献２は、撮像部内蔵の携帯電話に外部ストロボ装置を装着する際に、汎用端子であるＵＳＢ端子を用いて制御する機能を開示している。このシステムでは汎用端子を用いることで、汎用端子を有している他メーカの携帯電話にもストロボ装置を共通で接続することが可能であり、専用のストロボ装置を用意することが無く無駄を排除することを可能としている。
【先行技術文献】
【特許文献】
【０００４】
【特許文献１】特開２００６−２２９２７６号公報
【特許文献２】特開２００６−１６２７３８号公報
【発明の概要】
【発明が解決しようとする課題】
【０００５】
しかしながら、特許文献１のデジタルカメラ、ビデオカメラにおいては汎用アクセサリーシュー以外に汎用端子を設ける必要があり、その場合、ケーブルによる接続が必須となってしまう。ケーブルによる接続は使用者に煩雑な印象を与えるだけでなく、ハンドリングの悪さとケーブルの損傷の危険性を常に考えなくてはならない。さらに、ＡＶ端子による接続においては、上記汎用端子の接続と同様にケーブル接続の問題のほか、ＡＶ信号への変換が必須条件となるため、専用の変換回路が必要となり、コストアップや回路規模の拡大など、本来の目的から逸脱する可能性がある。
【０００６】
特許文献２における携帯電話システムにおいては、ストロボ装置の汎用性を高めるため汎用端子を用いているが、制御信号等の送受信デジタル信号を携帯電話メーカ各社において統一する必要がある。しかしながら、画像取得時のストロボ撮影においては、そのストロボ装置の色温度やスローシンクロや日中シンクロや赤目軽減発光などの発光モードを各社独自の思想やコンセプトに応じた仕様を提供することによって、メーカの特徴をアピールできる部分であるため、各社統一することは好ましいとは言えず、困難な仕様策定であることは明白である。
【０００７】
本発明は汎用端子で規格化されたシステムを用い、さらに独自の制御信号を融合することで、非常に汎用性が高く、使用者の煩雑さが少なく、低コストでありながら、将来的なシステムの拡充がたやすいアクセサリーシューを提供することにある。
【課題を解決するための手段】
【０００８】
本発明の目的は、次の構成によって達成される。
【０００９】
アクセサリーシューは、撮像装置の外観であって、一端に開口部を設けた挿入口と、前記挿入口内であって電気的接続が可能なソケットと、を有する。前記ソケットはＵＳＢ通信が可能な電気接点と、映像信号を出力する電気接点と、シリアル交信可能な電気接点と、を備える。
【００１０】
一方、前記アクセサリーシューに装着可能なアクセサリーは、前記挿入口に嵌合するシューと、前記ソケットと電気的接続されるプラグと、を有する。前記プラグはＵＳＢ通信可能な電気接点と、映像信号を入力する電気接点と、シリアル交信可能な電気接点と、を備える。
【発明の効果】
【００１１】
ここに開示された技術によれば、撮像装置からの制御により、様々なアクセサリーを提供することができる。例えば、ＷｉＦｉによる無線通信において１台の撮像装置から複数台の撮像装置の撮影制御や、ＰＣカメラ等によるモニター表示や、キーボードによる文字入力、外光光学ファインダーのズーム制御などが可能になる。さらに、新しいアクセサリーの提案がなされたとき、ドライバーソフトウエアのファームアップによって、下位互換も可能となり、ユーザーは常に新しいアクセサリーを楽しむことが可能となる。
【図面の簡単な説明】
【００１２】
【図１】カメラ本体１００の背面図
【図２】カメラ本体１００の上面図
【図３】カメラシステム１の構成ブロック図
【図４】カメラ本体１００の断面構成図
【図５】アクセサリーシュー１８０の斜視図
【図６】アクセサリーユニット３００の正面斜視図
【図７】アクセサリーユニット３００の背面斜視図
【図８】アクセサリーシュー１８０の回路構成を示すブロック図
【図９】アクセサリーシュー１８０の他の回路構成を示すブロック図
【図１０】ＷｉＦｉユニットの接続ブロック図
【図１１】ＧＰＳユニットの接続ブロック図
【図１２】フラッシュユニットの接続ブロック図
【図１３】ライブビューファインダーユニットの接続ブロック図
【図１４】汎用ホットシュー接続アダプターの接続ブロック図
【発明を実施するための形態】
【００１３】
本発明の実施形態に係るアクセサリーシューを備えた撮像装置について説明する。なお、以下の実施形態は本発明の一実施形態であり、本発明はこれらの実施形態に限定されない。
【００１４】
＜第１実施形態＞
（１：カメラシステム）
図を用いて、アクセサリーシュー１８０を搭載したカメラシステム１の概要について説明する。なお、アクセサリーシューを備えた撮像装置は、本実施形態のカメラシステム以外の撮像装置にも搭載可能である。
【００１５】
図１は、第１実施形態に係るカメラ本体１００の背面図である。図２は、カメラ本体１００の上面図である。
【００１６】
図３はカメラシステム１の構成ブロック図である。図４は、カメラ本体１００の断面構成図である。
【００１７】
カメラ本体１００は、交換レンズ式のデジタルカメラである。カメラ本体１００のレンズマウント１５０には、レンズユニット２００が装着可能である。
【００１８】
カメラ本体１００は、主に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、フォーカルプレーンシャッタ装置１９０と、を備えている。
【００１９】
ＣＭＯＳイメージセンサー１１０（撮像素子の一例）は、レンズユニット２００を介して入射される被写体の光学像（以下、被写体像ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００２０】
ＣＭＯＳイメージセンサー１１０は、タイミング発生器１１２で生成されるタイミング信号に基づいて動作する。ＣＭＯＳイメージセンサー１１０は、ＣＭＯＳ回路基板１１３の制御により、静止画データおよび動画データの取得を行うことができる。取得された動画データは、スルー画像の表示にも用いられる。なお、静止画データおよび動画データは、画像データの一例である。
【００２１】
ここで、スルー画像とは、動画データのうちメモリーカード１７１に記録されない画像である。スルー画像は、主に動画像であり、動画像または静止画像の構図を決めるためにカメラモニタ１２０に表示される。
【００２２】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。撮像素子は、ＣＭＯＳイメージセンサー１１０の他に、ＣＣＤイメージセンサー等の光電変換素子を含む概念である。
【００２３】
ＣＭＯＳイメージセンサー１１０は、後述する先幕羽根２１の走行方向に順次画素をリセットする電子先幕機能を有している。
【００２４】
ＣＭＯＳ回路基板１１３は、ＣＭＯＳイメージセンサー１１０を制御する回路基板である。ＣＭＯＳ回路基板１１３は、ＣＭＯＳイメージセンサー１１０から出力される画像データに所定の処理を施す回路基板であり、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２５】
カメラモニタ１２０は、例えば液晶ディスプレイであり、表示用画像データが示す画像等を表示する。表示用画像データは、カメラコントローラー１４０で生成される。表示用画像データは、例えば、画像処理された画像データ、カメラシステム１の撮影条件、操作メニュー等を画像として表示するためのデータである。カメラモニタ１２０は、動画像も静止画像も選択的に表示可能である。
【００２６】
カメラモニタ１２０は、カメラ本体１００に設けられている。本実施形態では、カメラ本体１００の背面に配置されているが、カメラモニタ１２０はカメラ本体１００のどこに配置されていてもよい。
【００２７】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００２８】
操作部１３０は、ユーザーによる操作を受け付ける。具体的には図１および図２に示すように、操作部１３０は、ユーザーによるフォーカルプレーンシャッタ操作を受け付けるレリーズ釦１３１と、カメラ本体１００の上面に設けられた回転式のダイアルスイッチである電源スイッチ１３２と、を含む。操作部１３０は、ユーザーによる操作を受け付けることができればよく、ボタン、レバー、ダイアル、タッチパネル等を含む。
【００２９】
カメラコントローラー１４０は、カメラ本体１００の各部を制御する。カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信し、レンズユニット２００の各部を間接的に制御する。すなわち、カメラコントローラー１４０は、カメラシステム  １全体を制御する。
【００３０】
カメラコントローラー１４０は、ＣＭＯＳ回路基板１１３を制御する。具体的には、カメラコントローラー１４０はＣＭＯＳ回路基板１１３に制御信号を送信し、ＣＭＯＳ回路基板１１３は受信した制御信号に基づきＣＭＯＳイメージセンサー１１０を制御する。つまり、カメラコントローラー１４０は、ＣＭＯＳイメージセンサー１１０を制御する。また、カメラコントローラー１４０は、ＣＭＯＳイメージセンサー１１０により生成され、ＣＭＯＳ回路基板１１３によりＡＤ変換等の所定の処理を施された画像データを取得し、さらに処理を施す。例えば、ＣＭＯＳ回路基板１１３により処理された画像データから、表示用画像データや記録用動画データなどを生成する。
【００３１】
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００３２】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、あらかじめ内部に格納された画像データ又は画像ファイルを、カードスロット１７０を介して出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルに伸張処理を施し、表示用画像データを生成する。
【００３３】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データ又は動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００３４】
なお、メモリーカード１７１は記憶部の一例である。記憶部は、メモリーカード１７１のようにカメラ本体１００に装着可能なものでもよく、カメラシステム１に固定されているものでもよい。
【００３５】
電源１６０は、カメラシステム１で使用するための電力を各部に供給する。電源１６０は、例えば、乾電池であってもよいし、充電池であってもよい。また、電源１６０は、電源コード等を介して外部の電源から電力の供給を受け、カメラシステム１に電力を供給するユニットであってもよい。
【００３６】
レンズマウント１５０は、レンズマウント２５０と係合する。レンズマウント１５０は、レンズユニット２００を支持する。また、レンズマウント１５０とレンズマウント２５０とは、電気的に接続可能である。カメラ本体１００は、レンズマウント１５０とレンズマウント２５０とを介して、レンズユニット２００との間で、データおよび制御信号のうち少なくとも一方を送受信できる。
【００３７】
フォーカルプレーンシャッタ装置１９０は、ＣＭＯＳイメージセンサー１１０の前側に配置されている。フォーカルプレーンシャッタ装置１９０は、光学系ＬからＣＭＯＳイメージセンサー１１０に向かう光を遮蔽する状態と、光学系ＬからＣＭＯＳイメージセンサー１１０に向かう光を透過する状態とを有する。フォーカルプレーンシャッタ装置１９０は、ＣＭＯＳイメージセンサー１１０の露光時間を制御する。
【００３８】
レンズユニット２００は、カメラ本体１００に装着可能であり、被写体の光学像を形成する。具体的には、レンズユニット２００は、光学系Ｌと、駆動部２１５と、レンズマウント２５０と、レンズコントローラー２４０と、レンズ筒２９０と、を有している。
【００３９】
光学系Ｌは、ＣＭＯＳイメージセンサー１１０の受光面に、被写体の光学像を形成する。
【００４０】
レンズコントローラー２４０は、カメラコントローラー１４０から送信される制御信号に基づいて、レンズユニット２００全体を制御する。
【００４１】
カメラ本体１００は、連続撮影が可能でありＣＭＯＳイメージセンサー１１０による、コントラストＡＦを継続しながらのＡＦ連続撮影と、非常に高速な連続撮影を切り替えることが可能である。
【００４２】
前記ＡＦ連続撮影時は、前記フォーカルプレーンシャッタ装置１９０は、ノーマリーオープン制御し、高速な連続撮影時は、そのコマ速を速くしたいためノーマリークローズ制御する。ノーマリーオープン制御時のフォーカルプレーンシャッタでは、先幕を走行状態、後幕をチャージ状態で保持する、いわゆるオープン状態を必ず経由する必要があり、ノーマリークローズ制御より、撮影に関わる準備動作に時間を要するためである。
【００４３】
（２：アクセサリーシューの構成）
図５から図７を用いてアクセサリーシューの構成を説明する。図５は、アクセサリーシュー１８０の斜視図である。アクセサリーシュー１８０はカメラ本体１００の上面に配置されており、図１に示すようにカメラ背面側からアクセサリーユニット３００（後述）を挿入可能なように、２箇所のキー溝１８１と、アクセサリーユニット３００との電気的接続が可能なソケット１８２の開口部とを備えている。矢印Ａは、アクセサリーユニット３００の挿入方向である。
【００４４】
キー溝１８１は、アクセサリーシューベース１８３と板金１８４のエッジ部１８４ａによって形成される。ソケット１８２は前記板金のエッジ部１８４ａの略中間に配置され、アクセサリーシューベース１８３に一体的に形成された収納部に配置されている。また、図１から見て取れるように、ソケット１８２の収納部上面は、板金１８４上面と略等しい高さに設定している。さらに、ソケット１８２はソケット基板１８５に直接半田付け等によって固定され、ソケット基板１８５がアクセサリーシューベース１８３にネジ締結されている。これによって、前記キー溝１８１の厚み方向と前記ソケット１８２およびその収納部が、ほぼ等しい厚みとなり、アクセサリーシュー全体の厚みを薄くすることが出来る。
【００４５】
板金１８４の斜面１８４ｂは、後述するアクセサリーユニット３００のロック部材３０３の斜面が押し付けられることによって、アクセサリーシュー１８０の板金のエッジ部１８４ａと後述するアクセサリーユニット３００のキー３０１が押し付けられ、アクセサリーシュー１８０とアクセサリーユニット３００が安定的に位置決めされる。
【００４６】
次にアクセサリーユニット３００について説明する。
【００４７】
図６はアクセサリーユニット３００の正面斜視図である。図７はアクセサリーユニット３００の背面斜視図である。また、図ではアクセサリーユニット３００のアクセサリーシューとの結合部だけを示し、各アクセサリーの本体部分は不図示とした。本体部分は各図に示された図の上部に固定されているものとする。
【００４８】
キー３０１は前記アクセサリーシュー１８０のキー溝１８１にＡ方向に沿って嵌合する。プラグ３０２は前記アクセサリーシュー１８０のソケット１８２に挿入される位置関係にあり、さらに部品誤差、取付誤差を吸収できるように、アクセサリーユニット３００筐体に対し、Ａ方向に直角な面に適当なガタが設けられている。
【００４９】
ロック部材３０３は、図６で見てとれるように、アクセサリーユニット３００の挿入側が斜面、反対側が平面で構成されており、突出方向（下方）に付勢されている。従って、ロック部材３０３の斜面が、前記アクセサリーシュー１８０の板金１８４の斜面１８４ｂを押圧し、ロック部材３０３の平面部とアクセサリーシューベース１８３のソケット１８２の収納部端面１８３ａが係合する。その結果、アクセサリーシュー１８０の板金のエッジ部１８４ａと後述するアクセサリーユニット３００のキー３０１が押し付けられ、アクセサリーシュー１８０とアクセサリーユニット３００が安定的に位置決めされる。
【００５０】
また、ロック部材３０３はロック解除釦３０４を押すことで、アクセサリーユニット３００内に引き込まれる構成である。従って、アクセサリーユニット３００をアクセサリーシュー１８０からはずす場合は、前記ロック解除釦３０４を押しながら、Ａと反対方向に引けばよい。
【００５１】
（３：アクセサリーシューの回路構成）
図８は、アクセサリーシュー１８０の回路構成を示すブロック図である。アクセサリーシュー１８０のソケット１８２には、ＵＳＢホストＩＣからの信号線、電源、ＧＮＤが接続されている。またソケット１８２には、カメラコントローラー１４０からのシリアル交信信号線とフラッシュ制御用Ｘ接点が接続されている。またソケット１８２には、ＬＶＤＳ変換ＩＣからのシリアル映像信号が接続されている。ＵＳＢホストＩＣはフラッシュＲＯＭに記憶されたドライバーソフトに応じて、カメラコントローラー１４０によって制御される。また、ＬＶＤＳ変換ＩＣは、カメラコントローラー１４０から出力されたＬＣＤバスによるパラレル映像信号が入力される。
【００５２】
またこれとは別に、カメラコントローラー１４０からはＨＤＭＩ映像信号が、ソケット１８２とは別のＨＤＭＩコネクタに出力されている。
【００５３】
図９は、アクセサリーシュー１８０の他の実施例の回路構成を示すブロック図である。アクセサリーシュー１８０のソケット１８２には、ＵＳＢホストＩＣからの信号線、電源、ＧＮＤが接続されている。またソケット１８２には、カメラコントローラー１４０からのシリアル交信信号線とフラッシュ制御用Ｘ接点が接続されている。またソケット１８２には、スイッチングＩＣからのＨＤＭＩ映像信号が接続されている。ＵＳＢホストＩＣはフラッシュＲＯＭに記憶されたドライバーソフトに応じて、カメラコントローラー１４０によって制御される。また、スイッチングＩＣは、カメラコントローラー１４０から出力されたＬＣＤバスによるＨＤＭＩ映像信号が入力され、撮影者からの指示および、既存ＨＤＭＩコネクタおよびソケット１８２内のＨＤＭＩ端子の各々への接続状態を検出して、どちらの端子にＨＤＭＩ映像信号を出力するかを選択的に制御する。
【００５４】
ＨＤＭＩ映像信号は不要輻射などの外乱によってノイズが発生しやすいため、細線同軸ケーブルで各ＨＤＭＩ端子まで延長されている。
【００５５】
図１０はアクセサリーユニットの一例である、ＷｉＦｉユニットの接続ブロック図である。アクセサリーシュー１８０のソケット１８２には、ＵＳＢホストＩＣからの信号線、電源、ＧＮＤが接続されている。またソケット１８２には、カメラコントローラー１４０からのシリアル交信信号線が接続されている。またソケット１８２には、ＬＶＤＳ変換ＩＣからのシリアル映像信号が接続されている。ここでＵＳＢ接続によってＷｉＦｉユニットへの電源供給を行い、かつＷｉＦｉユニットをペリフェラル接続として扱う。シリアル交信信号線は、後述する無線指示によるカメラ制御を行う。シリアル映像信号は、カメラ本体１００による撮影像であるライブビュー画像、撮影静止画像、撮影動画像をＷｉＦｉユニットへ転送する。ＷｉＦｉユニットには、ＷｉＦｉ通信装置、ＵＳＢコントローラー、ＬＶＤＳ→ＬＣＤ変換ＩＣがマイコンと接続されており、ＷｉＦｉによる無線指示によってそれぞれを制御することが可能である。無線信号の送信先は、スマートフォンやタブレットＰＣ以外にもＷｉＦｉによる送受信が可能な端末装置であれば良い。
【００５６】
図１１はアクセサリーユニットの一例である、ＧＰＳユニットの接続ブロック図である。アクセサリーシュー１８０のソケット１８２には、ＵＳＢホストＩＣからの信号線、電源、ＧＮＤが接続されている。またソケット１８２には、カメラコントローラー１４０からのシリアル交信信号線が、接続されている。ここでＵＳＢ接続によってＧＰＳユニットへの電源供給を行い、ＧＰＳユニットをペリフェラル接続として扱う。ＧＰＳユニットの目的は、撮影画像に位置情報等を付加することである。この目的のためには、ＧＰＳユニットによる位置情報取得を常に行っておく必要がある。しかし、ＧＰＳユニットはＧＰＳ受信機により複数の衛星から信号をキャッチする必要があり、ＧＰＳユニットを起動して、即座に位置情報を得ることは非常に難しい。したがって、カメラ本体電源がＯＦＦであってもＧＰＳユニットには電源供給を行い、起動しておく必要がある。
【００５７】
そこで、ＧＰＳユニットには内蔵電源を装着できるようになっており、ＵＳＢ交信または、シリアル交信によって、ＵＳＢ電源からＧＰＳユニットへの電源供給を行うか、内蔵電源による電源供給を行うかを選択できるようになっている。前記目的からは、通常内蔵電源による電源供給を主とし、緊急用としてカメラ本体１００からのＵＳＢ電源供給とすることが望ましい。
【００５８】
ＧＰＳユニットには、ＧＰＳ受信機以外にも各種センサーを搭載している。例えば地磁気センサーや加速度センサーであり、方位や傾きなどを測定することが可能となる。これらセンサーとＧＰＳ受信機はマイコンに接続され、シリアル交信信号端子による調歩同期通信を行うことで制御している。
【００５９】
図１２はアクセサリーユニットの一例である、フラッシュユニットの接続ブロック図である。アクセサリーシュー１８０のソケット１８２には、カメラコントローラー１４０からのシリアル交信信号線とフラッシュ制御用Ｘ接点が、接続されている。フラッシュユニットは、充電回路、発光回路、発光部を有している。このフラッシュユニットは小型化を優先するため、カメラ本体１００の電源からの充電が可能なように構成されており、各種制御をシリアル交信を通じて行う。
【００６０】
図１３はアクセサリーユニットの一例である、ＬＶＦ（ライブビューファインダー）ユニットの接続ブロック図である。アクセサリーシュー１８０のソケット１８２には、ＵＳＢホストＩＣからの電源、ＧＮＤが接続されている。またソケット１８２には、ＬＶＤＳ変換ＩＣからのシリアル映像信号が、接続されている。ＬＶＦユニットはＵＳＢ電源からＤＣ／ＤＣコンバーターを介して、ＬＶＦパネルおよびＬＶＤＳ→ＬＣＤ変換ＩＣに電力を供給している。またシリアル映像信号はＬＶＤＳ→ＬＣＤ変換ＩＣを介してＬＶＦパネルに映像を送信する。
【００６１】
図１４はアクセサリーユニットの一例である、汎用ホットシューアダプターの接続ブロック図である。汎用ホットシューアダプターは、既存のホットシューに装着可能なフラッシュ装置などを本発明のアクセサリーシューに取り付けるためのアダプターである。アクセサリーシュー１８０のソケット１８２には、カメラコントローラー１４０からのシリアル交信信号線とフラッシュ制御用Ｘ接点が、接続されている。
【産業上の利用可能性】
【００６２】
本発明は、アクセサリーシューを備えた撮像装置に適用できる。
【符号の説明】
【００６３】
１  カメラシステム
１００  カメラ本体
１１０  ＣＭＯＳイメージセンサー
１１１  ＡＤコンバーター
１１２  タイミング発生器
１１３  ＣＭＯＳ回路基板
１１４  ローパスフィルター
１１５  振動板
１２０  カメラモニタ
１３０  操作部
１４０  カメラコントローラー
１４２  メイン回路基板
１５０  レンズマウント
１５１  ボディマウントリング
１５２  ボディマウント接点保持部
１５３  電気接点（本体側）
１７０  カードスロット
１７１  メモリーカード
１８０  アクセサリーシュー
１８１  キー溝
１８２  ソケット
１８３  アクセサリーシューベース
１８４  板金
１８５  ソケット基板
２００  レンズユニット
２４０  レンズコントローラー
２５０  レンズマウント
３００  アクセサリーユニット
３０１  キー
３０２  プラグ
３０３  ロック部材
３０４  ロック解除釦
【図１】
2013207325.tif 000003
【図２】
2013207325.tif 000004
【図４】
2013207325.tif 000005
【図８】
2013207325.tif 000006
【図９】
2013207325.tif 000007
【図１０】
2013207325.tif 000008
【図１１】
2013207325.tif 000009
【図１２】
2013207325.tif 000010
【図１３】
2013207325.tif 000011
【図１４】
2013207325.tif 000012
【図３】
2013207325.tif 000013
【図５】
2013207325.tif 000014
【図６】
2013207325.tif 000015
【図７】
2013207325.tif 000016